(57)【要約】      （修正有）【課題】長尺状の被印刷媒体の印刷中に停止しても長尺状の被印刷媒体に無駄を発生させることなく再開する印刷装置を提供する。【解決手段】搬送部５８、中間転写ベルト３１、中間転写ベルト３１を二次転写バックアップローラ３４に押圧する二次転写ローラ３５を有する二次転写部３６、定着部６０、二次転写部３６より上流側に配置された第１のローラ１５１、二次転写部３６より下流側に配置された第２のローラ１５２、被印刷媒体に定着されたトナー像を検出用マークとして検出するセンサを備え、印刷停止の指示を受けて、搬送部５８に被印刷媒体の上流側から下流側への搬送を停止させ、被印刷媒体を中間転写ベルト３１及び二次転写ローラ３５から離間し且つ第１及び第２のローラに接する状態で搬送部５８により被印刷媒体を下流側から上流側へ搬送させ、センサによる検出用マークの検出に基づいて被印刷媒体の搬送を停止させる。【選択図】図１
2014122960.tif 000002
【特許請求の範囲】
【請求項１】
被印刷媒体を搬送路の上流側から下流側へ搬送する搬送部と、
一次転写されたトナー像を搬送する中間転写ベルトと、
前記中間転写ベルトが懸架された二次転写バックアップローラと、前記中間転写ベルトを前記二次転写バックアップローラに向けて押圧する二次転写ローラと、を有し、前記中間転写ベルトにより搬送される前記トナー像を前記被印刷媒体に転写する二次転写部と、
前記搬送路上且つ前記二次転写部よりも下流側に配置され、前記トナー像を前記被印刷媒体に定着させる定着部と、
前記二次転写部より前記上流側に配置された第１のローラと、
前記二次転写部より前記下流側に配置された第２のローラと、
前記二次転写部より前記上流側に配置され、前記被印刷媒体に定着された前記トナー像を検出用マークとして検出するセンサと、
前記被印刷媒体への印刷中に印刷停止の指示を受けると、前記搬送部による前記被印刷媒体の前記上流側から前記下流側への搬送を停止させ、前記被印刷媒体を前記中間転写ベルト及び前記二次転写ローラから離間し且つ前記第１のローラ及び前記第２のローラに接する状態で前記搬送部により前記被印刷媒体を前記下流側から前記上流側へ搬送させ、前記センサによる前記検出用マークの検出に基づいて前記被印刷媒体の搬送を停止させる制御部と、を備える
ことを特徴とする印刷装置。
【請求項２】
請求項１に記載の印刷装置において、
前記第２のローラは、前記定着部より前記上流側に配置されており、
前記制御部は、前記搬送部により前記被印刷媒体を前記下流側から前記上流側へ搬送させ、前記被印刷媒体に印刷された前記検出用マークの位置が前記センサに対応する位置を通過した後に前記搬送部に前記被印刷媒体の搬送を停止させ、印刷再開指示を受けると、前記搬送部に前記被印刷媒体を前記上流側から前記下流側へ搬送させ、前記センサによる前記検出用マークの検出に基づいて印刷のタイミングを制御する
ことを特徴とする印刷装置。
【請求項３】
請求項１または請求項２に記載の印刷装置において、
前記二次転写ローラを、前記中間転写ベルトを前記二次転写バックアップローラに向けて押圧する第１の位置と、前記中間転写ベルトから離間した第２の位置と、の間で移動させる移動機構を更に備え、
前記第１のローラは、前記二次転写ローラとの位置関係を維持するように、前記二次転写ローラとともに移動する
ことを特徴とする印刷装置。
【請求項４】
請求項３に記載の印刷装置において、
前記第１のローラは、前記二次転写ローラが前記第２の位置に配置されているときに、前記被印刷媒体と前記中間転写ベルトとが接しないように、前記被印刷媒体を支持する
ことを特徴とする印刷装置。
【請求項５】
請求項３または請求項４に記載の印刷装置において、
前記第２のローラは、前記被印刷媒体と前記第２の位置の前記二次転写ローラとが接しないように、前記被印刷媒体を支持する
ことを特徴とする印刷装置。
【発明の詳細な説明】
【技術分野】
【０００１】
本発明は、長尺状の被印刷媒体を用いる印刷装置に関し、特に、電子写真方式の印刷装置に関する。
【背景技術】
【０００２】
ロール紙等の長尺状の被印刷媒体を用いる電子写真方式のラベルプリンタにおいては、印刷途中であっても、例えばトナー交換、定期交換ユニットの交換、あるいはクールダウン等でエンジンを停止させなければならない場合がある。そのような状況では、エンジンを停止させてから再開させるまでの間に、長尺状の被印刷媒体上に画像が印刷されていない空白領域が発生してしまうため、印刷後に、発生した空白領域をカットする対応が取られるのが通常である。
【０００３】
これに関連する技術は、例えば、特許文献１に開示されている。特許文献１では、長尺状の被印刷媒体の裁断処理を容易にするために、印刷結果情報を空白の最終ページに記録し、この情報に基づき無駄な領域を自動的に裁断する印刷システムが提案されている。
【先行技術文献】
【特許文献】
【０００４】
【特許文献１】特開２００８−１９１２１５号公報
【発明の概要】
【発明が解決しようとする課題】
【０００５】
しかしながら、上述したような、装置が印刷途中で停止した場合に長尺状の被印刷媒体に発生する空白領域をカットする対応は、被印刷媒体の空白領域を無駄にしてしまうことになる。このため、印刷途中で停止した場合でも被印刷媒体に無駄を発生させることなく装置を再開することができる技術が望まれている。
【０００６】
以上のような実情を踏まえ、本発明は、長尺状の被印刷媒体の印刷中に停止しても長尺状の被印刷媒体に無駄を発生させることなく再開することができる印刷装置を提供することを目的とする。
【課題を解決するための手段】
【０００７】
本発明の一態様は、被印刷媒体を搬送路の上流側から下流側へ搬送する搬送部と、一次転写されたトナー像を搬送する中間転写ベルトと、前記中間転写ベルトが懸架された二次転写バックアップローラと、前記中間転写ベルトを前記二次転写バックアップローラに向けて押圧する二次転写ローラと、を有し、前記中間転写ベルトにより搬送される前記トナー像を前記被印刷媒体に転写する二次転写部と、前記搬送路上且つ前記二次転写部よりも下流側に配置され、前記トナー像を前記被印刷媒体に定着させる定着部と、前記二次転写部より前記上流側に配置された第１のローラと、前記二次転写部より前記下流側に配置された第２のローラと、前記二次転写部より前記上流側に配置され、前記被印刷媒体に定着された前記トナー像を検出用マークとして検出するセンサと、前記被印刷媒体への印刷中に印刷停止の指示を受けると、前記搬送部による前記被印刷媒体の前記上流側から前記下流側への搬送を停止させ、前記被印刷媒体を前記中間転写ベルト及び前記二次転写ローラから離間し且つ前記第１のローラ及び前記第２のローラに接する状態で前記搬送部により前記被印刷媒体を前記下流側から前記上流側へ搬送させ、前記センサによる前記検出用マークの検出に基づいて前記被印刷媒体の搬送を停止させる制御部と、を備える印刷装置を提供する。
【発明の効果】
【０００８】
本発明によれば、長尺状の被印刷媒体の印刷中に停止しても長尺状の被印刷媒体に無駄を発生させることなく再開することができる印刷装置を提供することができる。
【図面の簡単な説明】
【０００９】
【図１】本発明の実施形態に係るフルカラーの印刷装置の内部構成を説明する断面図である。
【図２】プリンタ本体１０を搭載したラベルプリンタ１の主たる構成を説明する断面図である。
【図３】プリンタ本体１０を中心とするラベルプリンタ１のブロック図である。
【図４】ラベルプリンタ１で長尺状の被印刷媒体２００に連続印刷を行っている際に、一時停止指示があってから印刷を再開するまでの処理手順を説明するフローチャートである。
【図５】一時停止から再開までに行われる被印刷媒体２００に対する戻し操作を説明する図である。
【図６】一時停止時に被印刷媒体２００に印刷される画像パターンを模式的に示す図である。
【図７】定着装置６０内のバックアップローラ６４を定着ローラ６３から離間させるための移動機構の構成を説明するための図である。
【図８】転写ベルト装置３０に対応するセンサ８８の配置位置の関係を説明するための図である。
【発明を実施するための形態】
【００１０】
以下、本発明の実施形態について、図面を参照しながら説明する。図１は、本発明の実施形態に係るラベルプリンタ１に使用されるプリンタ本体１０の内部構成を説明する断面図である。
【００１１】
図１に示すプリンタ本体１０は、ロール紙等の連続紙である被印刷媒体２００に画像を印刷する電子写真方式の印刷装置であるラベルプリンタ１を構成する、二次転写方式のタンデム型のカラー画像形成装置であり、ＤＳＳ部（ドラム／現像装置）１２、転写ベルト装置３０、トナーカートリッジ４０、電装部４５、給紙部５０、及び定着装置６０を含んで構成されている。
【００１２】
また、プリンタ本体１０は、ファーストプリント時間を最小とする為、背面転写方式で構成されている。転写ベルト装置３０を挟んで上部にトナーカートリッジ４０が配置され、転写ベルト装置３０を挟んだ略直下に感光体及び現像システムを構成するＤＳＳ部（ドラム／現像装置）１２が配置されている。転写ベルト装置３０は、中間転写ベルト３１と、駆動ローラ３２と、従動ローラ３３と、を含む。
【００１３】
上記ＤＳＳ部（ドラム／現像装置）１２は、転写ベルト装置３０の中間転写ベルト３１の下部走行面３１ａに接して図１の右から左へ４個の現像装置１３（１３ｋ、１３ｃ、１３ｍ、１３ｙ）を多段式に並設して構成される。
【００１４】
上記４個の現像装置１３（１３ｋ、１３ｃ、１３ｍ、１３ｙ）のうち上流側（図１の左側）の３個の現像装置１３ｃ、１３ｍ及び１３ｙは、それぞれ減法混色の三原色であるシアン（Ｃ）、マゼンタ（Ｍ）、イエロー（Ｙ）の色トナーによるモノカラー画像を形成し、現像装置１３ｋは、主として文字や画像の暗黒部分等に用いられるブラック（Ｋ）トナーによるモノクロ画像を形成する。
【００１５】
上記の各現像装置１３（１３ｋ、１３ｃ、１３ｍ、１３ｙ）は、画像を現像するトナーの色を除き全て同じ構成である。したがって、最も上流側に位置するイエロー（Ｙ）のトナー用の現像装置１３ｙを例にしてその構成を説明する。
【００１６】
現像装置１３（１３ｋ、１３ｃ、１３ｍ、１３ｙ）は、最上部に感光体ドラム１４を備えている。この感光体ドラム１４は、その周面が例えば有機光導電性材料で構成されている。この感光体ドラム１４の周面に接して又は近傍を取り巻いて、クリーナ１５、帯電ローラ１６、光書込ヘッド１７、及び現像器１８の現像ローラ１９が配置されている。
【００１７】
この現像器１８には、４個のトナーカートリッジ４０から、図１にＫ、Ｃ、Ｍ、Ｙで示すブラック（Ｋ）、シアン（Ｃ）、マゼンタ（Ｍ）、イエロー（Ｙ）のいずれかのトナーが供給される。
【００１８】
転写ベルト装置３０は、プリンタ本体１０のほぼ中央で図１の左右方向に扁平なループ状になって延在する無端状の上述した中間転写ベルト３１と、この中間転写ベルト３１を掛け渡されて中間転写ベルト３１を図の矢印ａで示す反時計回り方向に循環移動させる駆動ローラ３２と従動ローラ３３を備えている。
【００１９】
転写ベルト装置３０は、更に、駆動ローラ３２の上方で中間転写ベルト３１を掛け渡されている二次転写バックアップローラ３４を備えている。二次転写バックアップローラ３４には、中間転写ベルト３１を介して二次転写ローラ３５が圧接して、二次転写バックアップローラ３４は、二次転写ローラ３５とともに二次転写部３６を形成している。
【００２０】
上記の中間転写ベルト３１には、一次転写ローラ（不図示）がユニットと一体に組み込まれている。一次転写ローラ（不図示）は、下方を循環移動するベルト表面にトナー像を直接転写（一次転写）する。中間転写ベルト３１は、そのトナー像を担持し、更に用紙等の被印刷媒体２００に転写（二次転写）すべく、二次転写ローラ３５が中間転写ベルト３１を介して二次転写バックアップローラ３４に圧接する二次転写部３６まで搬送する。
【００２１】
中間転写ベルト３１には、従動ローラ３３に掛け渡されている表面に当接してベルトクリーナ３７が配置されている。ベルトクリーナ３７の下方には、ベルトクリーナ３７が中間転写ベルト３１から除去した廃トナーを収容する廃トナー回収容器３８が配置されている。
【００２２】
トナーカートリッジ４０は、中間転写ベルト３１の上部走行面の上方に配置されている４個で構成される。４個のトナーカートリッジには、それぞれブラック（Ｋ）、シアン（Ｃ）、マゼンタ（Ｍ）、イエロー（Ｙ）の補給用トナーが収容されている。
【００２３】
トナーカートリッジ４０とＤＳＳ部（ドラム／現像装置）１２間にはトナー縦搬送路４２が各々配置され、トナーカートリッジ４０から定量のトナーがＤＳＳ部（ドラム／現像装置）１２内に設けられたトナー濃度検出装置からの補給信号により制御され搬送される。
【００２４】
このトナーカートリッジ４０の左方には、ベルトクリーナ３７の左方から従動ローラ３３の上方にかけて２つの電装部４５が配設されている。電装部４５には、複数の電子部品からなる制御装置が搭載された回路基盤が装着されている。
【００２５】
給紙部５０は、給紙カセットを備えている。給紙カセットの給紙口（図１の右方）近傍には、給送ローラ５４、被印刷媒体２００を上流側から下流側へ搬送する搬送ローラ５６等の搬送部５８が配置されている。被印刷媒体２００の搬送される搬送路７４を破線で示す。
【００２６】
搬送ローラ５６の被印刷媒体２００搬送方向（図１の鉛直上方向）には、前述した二次転写部３６が形成されている。この二次転写部３６の下流（図１では上方）側には定着装置６０が配置されている。二次転写部３６まで鉛直方向に搬送される被印刷媒体２００に中間転写ベルト３１を介してトナー像が転写され、更に定着装置６０まで鉛直方向に被印刷媒体２００が搬送される。定着装置６０は、ベルト式熱定着装置であり、二次転写部３６で被印刷媒体２００に転写されたトナー像を被印刷媒体２００に定着させる。
【００２７】
搬送部５８から定着部６０までの間には、上述したローラに加えて、ガイドローラとなる第１のローラ１５１とガイドローラとなる第２のローラ１５２が設けられている。第１のローラ１５１は、二次転写部３６より上流側に配置されている。第１のローラ１５１は、図示しない移動機構により二次転写ローラ３５とともに移動し、二次転写ローラ３５との位置関係が維持されるように構成されている。一方、第２のローラ１５２は、二次転写部３６より下流側で且つ定着部６０より上流側に配置されている。第２のローラ１５２は、第１のローラ１５１とは異なり二次転写ローラ３５とともに移動しない固定されたローラとして構成されている。これらのローラ（第１のローラ１５１、第２のローラ１５２）は、図１に示されるように、画像を印刷するために被印刷媒体２００を搬送する通常搬送時（つまり、印刷中）には、被印刷媒体２００に作用しない位置に配置されている。なお、第１のローラ１５１と第２のローラ１５２は、テフロン（登録商標）などの潤滑剤を表面にコーティングした金属軸であってもよく、また、金属軸周りに回転可能な潤滑性のある樹脂材料であってもよい。
【００２８】
定着装置６０の更に下流側には、定着装置６０から搬出された定着後の被印刷媒体２００を装置上面に載置する排紙トレー７０が形成されている。
【００２９】
プリンタ本体１０の右側面には、両面印刷用搬送ユニットが設けられる。この両面印刷用搬送ユニットは、排紙トレー７０の直前から図１の右横方向に分岐して最終的に被印刷媒体２００を反転させて返送する返送路７６を備えている。返送路７６を1点鎖線で示す。
【００３０】
図２は、プリンタ本体１０を搭載したラベルプリンタ（ラベル印刷装置あるいは印刷装置とも呼ぶ）１の主たる構成を説明する断面図である。ラベルプリンタ１は、実装ボックス８０、台座ユニット８２及びロール状の被印刷媒体２００を連続的に巻き取る巻取装置であるリワインダー８６を有する。台座ユニット８２は、ラベルプリンタ１全体を支持する基台である。
【００３１】
台座ユニット８２の内部には、巻出装置であるアンワインダー８４、被印刷媒体２００を上部の実装ボックス８０を介してプリンタ本体１０に搬送するロール紙搬送部９０の一部と、センサ８８が備えられる。
【００３２】
アンワインダー８４は、ロール状に巻かれたラベル印刷用の被印刷媒体２００が装着され、装着されたロール紙を連続的にプリンタ本体１０に供給する。アンワインダー８４には、モータ等の駆動系が備えられる。このロール状に巻かれた被印刷媒体２００を、ロール紙または連続的な用紙（連続紙）とも称す。
【００３３】
アンワインダー８４から供給された被印刷媒体２００は、ロール紙搬送部９０によってｐ方向（図２で上方向）に搬送される。台座ユニット８２には、アンワインダー８４用モータ、その伝達系及びアンワインダー８４を駆動制御する、図３に示すアンワインダー駆動部８４ａが備わっている。
【００３４】
センサ８８は、プリンタ本体１０が運転中に一時停止した場合に、バックフィードされた被印刷媒体２００の停止位置を決めるために、被印刷媒体２００に定着されたトナー像から検出用マークＭを検出するものであり、被印刷媒体２００に定着されたトナー像のうちの特定のマークを検出用マークＭとして検出するものである。センサ８８は、例えば反射検出用の光センサであり、被印刷媒体２００の印刷面側に配置される。センサ８８の詳細は、後述する。
【００３５】
実装ボックス８０は、台座ユニット８２と、プリンタ本体１０と、の間に配置される。実装ボックス８０には、ロール紙搬送部９０の一部として、アンワインダー８４から供給された被印刷媒体２００をプリンタ本体１０に搬送するローラが設けられる。また、実装ボックス８０には、被印刷媒体２００をカットするための自動カッターも備えられる。
【００３６】
実装ボックス８０から供給される被印刷媒体２００は、プリンタ本体１０に導かれ、二次転写部３６でトナー像が転写され、定着装置６０にて、転写されたトナー像が定着される。印刷された被印刷媒体２００は、プリンタ本体１０の上部のロール紙排出部９２に排出されてから、リワインダー８６のある左方向に搬送される。
【００３７】
実装ボックス８０の左横に、リワインダー８６が外部に露出して取付けられる。リワインダー８６は、プリンタ本体１０と同等な高さ位置に取付けられる。リワインダー８６は、プリンタ本体１０で印刷が終了したロール状の被印刷媒体２００を連続的に巻き取るためのもので、モータ等の駆動系が備わっている。
【００３８】
実装ボックス８０には、リワインダー８６を駆動制御し、かつ図３に示すリワインダー駆動部８６ａ、及びロール紙搬送部９０を駆動制御する、図３に示すロール紙搬送駆動部９０ａが備えられる。ロール紙排出部９２から排出された印刷済の被印刷媒体２００は、複数の中継ローラを経て、リワインダー８６に巻き取られる。
【００３９】
図３は、プリンタ本体１０を中心とするラベルプリンタ１のブロック図である。図３に示すようにプリンタ本体１０は、ＣＰＵ（central processing unit)１００を中心にして、このＣＰＵ１００に、それぞれデータバスを介してインターフェイスコントローラ（Ｉ／Ｆ＿ＣＯＮＴ）１０２及びプリンタコントローラ（ＰＲ＿ＣＯＮＴ）１０４が接続されている。このＰＲ＿ＣＯＮＴ１０４にはプリンタ印字部１０６が接続されている。これらの電気部は、電装部４５に含まれる。
【００４０】
ＣＰＵ１００には、ＲＯＭ（read only memory）１０８、ＥＥＰＲＯＭ（electrically erasable programmable ROM）１１０、本体操作部の操作パネル１１２、及び各部に配置されたセンサからの出力が入力されるセンサ部１１４が接続されている。ＲＯＭ１０８には、システムプログラムが記憶され、ＣＰＵ１００は、このシステムプログラムに従って各部を制御して処理を行い、ＣＰＵ１００は、制御部として機能する。また、システムプログラムには、図４で説明するラベルプリンタ用の制御プログラムが含まれる。
【００４１】
すなわち、各部において、先ず、Ｉ／Ｆ＿ＣＯＮＴ１０２は、例えばパーソナルコンピュータ等のホスト機器から供給される印字データをビットマップデータに変換し、フレームメモリ１１６に展開する。フレームメモリ１１６は、ブラック（Ｋ）、マゼンタ（Ｍ）、シアン（Ｃ）、イエロー（Ｙ）ごとに記憶エリアが設定されており、各色のデータが対応するエリアに展開される。
【００４２】
フレームメモリ１１６に展開されたデータはＰＲ＿ＣＯＮＴ１０４に出力され、ＰＲ＿ＣＯＮＴ１０４からプリンタ印字部１０６に出力される。
【００４３】
プリンタ印字部１０６は、エンジン部であり、ＰＲ＿ＣＯＮＴ１０４からの制御の下で、図１に示した転写ベルト装置３０の上下移動や回転駆動などを行うベルト駆動部１１８への駆動出力を制御する。
【００４４】
更にプリンタ印字部１０６は、搬送ローラ５６、感光体ドラム１４、定着装置６０の加熱ローラ等の回転駆動される各部からなる搬送機構を駆動する搬送機構駆動部１２０への駆動出力を制御する。
【００４５】
更にプリンタ印字部１０６は、帯電ローラ１６、光書込ヘッド１７、一次転写ローラ等の被駆動部を有する画像形成部のプロセス負荷、二次転写ローラ３５を含む回転駆動系等への電圧印加を行う印加電圧出力部１２２の出力を制御する。
【００４６】
さらに、プリンタ本体１０には、ＣＰＵ１００と外部機器とを接続するためのＩＦ部１３０が設けられる。ＣＰＵ１００は、ＩＦ部１３０を介して、ラベルプリンタ１専用の各電気部と接続される。ＣＰＵ１００には、ラベルプリンタ１のアンワインダー８４を駆動制御するアンワインダー駆動部８４ａ、リワインダーを駆動制御するリワインダー駆動部８６ａ、ロール紙搬送部９０を駆動制御するロール紙搬送駆動部９０ａ及びセンサ８８が接続される。
【００４７】
ＣＰＵ１００は、プリンタ本体１０に実装ボックス８０や台座ユニット８２が接続されて、ラベルプリンタ１が構築された場合には、システムプログラムの中のラベルプリンタ用の制御プログラムに従って、ラベルプリンタ１の制御部として機能する。
【００４８】
図２に示すように、ラベルプリンタ１では、ロール状の被印刷媒体２００はアンワインダー８４に装着され、被印刷媒体２００の先端はロール紙搬送部９０に手動または自動でスタート位置で待機する。
【００４９】
また、被印刷媒体２００の先端は、プリンタ本体１０エンジンの待機位置で停止され、プリンタ本体１０の画像形成に合わせて二次転写位置に被印刷媒体２００の印字位置が合致するべく制御され、印刷が開始される。プリンタ本体１０から排出された被印刷媒体２００はプリンタ本体１０の天面のロール紙排出部９２を経て、リワインダー８６に巻き取られる。
【００５０】
このように被印刷媒体２００の先端から印刷を開始する場合は、容易に印字位置をあわせることが出来る。但し、プリンタの画像形成に於いてプロセス速度はエンジン速度を変化させてはならないため、各々駆動源を有するアンワインダー８４及びリワインダー８６には弛みを形成でき、その弛みを検出する弛みセンサ（不図示）が設けられ、プリンタエンジン速度に影響が出ないように制御されている。少量単位でラベルを印刷し都度カットする場合は、自動カッターでカットされ、次のジョブに対しての位置制御（先端合わせも）もここで行われる。
【００５１】
ラベルプリンタ１において、ロール状の被印刷媒体２００へのラベルの連続印刷中には、印刷の一時停止はない方が望ましい。しかし、トナーが無くなってきたり、あるいは定着装置での温度上昇等その他の事情により、一時的に停止することが必要になる場合がある。
【００５２】
従来のラベルプリンタで、一旦停止して印刷を再開すると、ロール紙の途中に空白部分が発生するため、印刷後に空白部分をカットする等の処理をしなければならない。また、空白に相当する長さ分だけ被印刷媒体２００を戻してから、印刷を再開することも可能であるが、正確な位置に戻すことが容易ではなく、停止前の最終頁の画像と再開後の最初の画像の間隔が、規定した間隔からずれてしまう可能性が高い。この他にも、従来のラベルプリンタでは、被印刷媒体２００を通常搬送時とは逆方向に搬送するいわゆるバックフィードを行なう場合には、以下のような技術的な課題が存在する。
【００５３】
バックフィードは、定着装置６０における熱及び圧力の影響を抑えるために、定着装置６０内で定着ニップが解除され且つバックアップローラ部と定着加熱側が完全に離間している状態で行われる。この際、定着装置６０が定着ベルトを用いた方式である場合には、ベルトの逆回転は容易ではないため、定着側は停止状態としておくのが通常である。これは、二次転写部３６でも同様である。つまり、二次転写ローラ３５とバックアップローラ３４が離間している状態でバックフィードが行われ、この際、バックアップローラ３４及び中間転写ベルト３１は停止状態とされる。特に、クリーニング部でブレードクリーニング方式を採用している構成では、転写ベルト装置３０の逆回転は極めて困難であるので、このような対応をとらざるを得ない。しかしながら、この場合、バックフィード中に、停止している中間転写ベルト３１に被印刷媒体２００が接触することにより中間転写ベルト３１が損傷してしまう可能性がある。また、バックフィード中に、停止している二次転写ローラ３５に被印刷媒体２００が接触することにより被印刷媒体２００の裏面が汚れてしまう可能性もある。
【００５４】
図４から図７を参照して、ラベルプリンタ１では、一時停止して印刷を再開しても、従来のラベルプリンタとは異なり、上述した課題を解決し且つ一定のピッチでラベル印刷を行うことができることを説明する。
【００５５】
図４は、ラベルプリンタ１でロール状の被印刷媒体２００に連続印刷を行っている際に、一時停止指示があってから印刷を再開するまでの処理手順を説明するフローチャートである。図５は、一時停止から再開までに行われる被印刷媒体２００に対する戻し操作を説明する図である。図６は、一時停止時に被印刷媒体２００に印刷される画像パターンを模式的に示す図である。図７は、定着部６０の定着ローラとバックアップローラを離間させる離間機構を説明するための図である。
【００５６】
図４のフローチャートの順番に従って、図５から図７を参照しながら、以下説明する。なお、図４で示す一連の処理は、主にプログラムに従ったＣＰＵ１００によって実行される処理である。この処理において、ＣＰＵ１００は、連続する被印刷媒体２００への画像の連続印刷を制御する印刷制御部を構成する。
【００５７】
まず、連続印刷中に、一時停止指示ありか否かを判断する（ステップＳ１０）。一時停止を指示する例としては、
・トナー残量不足（トナー残量が閾値以下）
・定着部端部温度上昇時等のクールダウン動作
・色の重ね合わせ（レジストレーション）調整動作
・ベルトクリーニング維持等の為のトナー吐き出し動作
・その他突然停止以外の必要停止動作
等がある。さらに、操作者の判断による一時停止操作もある。
【００５８】
一時停止指示がないと判断すると（ステップＳ１０ＮＯ）、ステップＳ１０をループする。一時停止指示があったと判断すると（ステップＳ１０ＹＥＳ）、印刷一時停止を開始する（ステップＳ１２）。停止前最終頁の画像形成を行う（ステップＳ１４）。
【００５９】
なお、最終頁の画像を最終画像Ｎとも呼ぶ。最終頁と次頁間に、印刷済みの被印刷媒体２００の範囲を特定するために検出用マークＭを印刷する（ステップＳ１６）。次頁とは、印刷再開後に最初に印刷される頁をさす。検出用マークＭの形状等は図６で後述するが、最終画像Ｎの後端に印刷される短い横線である。
【００６０】
しかし、検出用マークＭの形状としては、短い横線に限らず、一般に印刷で使用されないような特殊で複雑な図柄の画像でも良い。そのようにすることで、万が一、最終画像Ｎに検出用マークＭと同一形状の画像があり、且つ、長尺状の被印刷媒体２００の幅方向において、検出用マークＭ位置と同一の位置にあった場合、センサ８８が、最終画像Ｎにある検出用マークＭと同一形状の画像を、誤って検出用マークＭであると認識してしまうことを防ぐことができる。
【００６１】
また、検出用マークＭの形状として、複数の画像を予めメモリに記憶させておいてもよい。そのようにすることで、万が一、通常デフォルトで印刷するはずの検出用マークＭと同一の画像が、最終画像Ｎに含まれていた場合、急遽用の検出用マークＭとして、デフォルトの画像と異なる画像を印刷することができる。
【００６２】
更には、最終画像Ｎの印刷幅より外側に位置する最終画像Ｎの印刷領域外を含む領域に検出用マークＭを印刷することで、万が一、最終画像Ｎに検出用マークＭと同一形状の画像があったとしても、長尺状の被印刷媒体２００の幅方向において、検出用マークＭ位置と異なる位置にあるので、センサ８８が、最終画像Ｎにある検出用マークＭと同一形状の画像を、誤って検出用マークＭであると認識してしまうことはない。
【００６３】
以上のようにすることで、センサ８８による検出用マークＭの検出を正確に行うことができ、従って、再印刷のタイミングを正確に制御することができる。
【００６４】
なお、できれば検出用マークＭは、長尺状の被印刷媒体２００の幅方向において中央付近にあることが望ましい。そのようすることで、長尺状の被印刷媒体２００の幅方向の長さが被印刷媒体２００によって変化した場合でも、中央付近を含む領域を検知できる幅方向の長さがあればよく、比較的短い小型のセンサ８８を用いることができる。従って、幅方向全体を検知する必要がある大きなサイズのセンサ８８を設ける必要がない。
【００６５】
そして、検出用マークＭ以降は印刷を行わないで（ステップＳ１８）、検出用マークＭの位置が定着装置６０を通過後に搬送を停止させる（ステップＳ２０）。検出用マークＭを確実に印刷するためである。検出用マークＭの位置が確実に定着装置６０を通過したことを判断して、被印刷媒体２００の搬送を停止する。例えば、二次転写ローラ３５等の回転数で判断する。
【００６６】
図５（Ａ）は、ステップＳ２０で搬送を停止した状態での、被印刷媒体２００に対する定着装置６０近傍のローラの状態を示す図である。
【００６７】
定着装置６０内部には、駆動ローラ６１、定着熱ベルト６２、定着ローラ６３、バックアップローラ６４、定着搬送ローラ６６が備えられる。定着熱ベルト６２は、被印刷媒体２００の印刷面を加熱して転写されたトナー像を被印刷媒体２００に定着させるものである。
【００６８】
定着熱ベルト６２は、駆動ローラ６１と定着ローラ６３に懸架され、駆動ローラ６１の回転により定着熱ベルト６２が駆動される。バックアップローラ６４は、被印刷媒体２００を定着熱ベルト６２に押圧しながら搬送する。
【００６９】
定着搬送ローラ６６は、定着熱ベルト６２でトナーが画像として定着された被印刷媒体２００を定着装置６０から排出する。
【００７０】
ステップＳ２０で搬送が停止された状態で、被印刷媒体２００は、定着装置６０内では、バックアップローラ６４と定着ローラ６３により、また、定着搬送ローラ６６により、圧着（挟持）された状態である。また、被印刷媒体２００は、定着装置６０外では、搬送ローラ５６や、二次転写バックアップローラ３４と二次転写ローラ３５等によって圧着（挟持）された状態である。つまり、被印刷媒体２００の通常搬送中、二次転写ローラ３５は中間転写ベルト３１を二次転写バックアップローラ３４に向けて押圧している状態にある。
【００７１】
なお、この状態では、検出用マークＭは、定着熱ベルト６２を少し通り過ぎた位置に印刷されていて、上述のように検出用マークＭも画像として定着される。被印刷媒体２００の実線で示す範囲は、定着処理が済んだ部分を示し、破線で示す範囲は定着処理が済んでいない範囲を示す（図５（Ｂ）、（Ｃ）も同じ）。
【００７２】
そして、この状態から、定着ニップ及び二次転写ニップ間を離間する（ステップＳ２２）。図５（Ｂ）に示すように、バックアップローラ６４及び二次転写ローラ３５を、それぞれ離間させる。
【００７３】
定着部６０を例にしてより詳細に説明すると、図７（Ａ）及び図７（Ｂ）に示される弾性体６８を備えた付勢機構である圧着用アーム６７によってバックアップローラ６４に圧着されている円板カム６５が回転することにより、バックアップローラ６４が、図７（Ｃ）に示される定着熱ベルト６２を定着ローラ６３に向けて押圧する第１の位置から、図７（Ｄ）に示される定着熱ベルト６２から離間した第２の位置に移動して、定着熱ベルト６２から離間する。即ち、定着部６０は、バックアップローラ６４を第１の位置と第２の位置の間で移動させる移動機構を備えている。
【００７４】
二次転写部３６も定着部６０と同様の移動機構を備えている。即ち、二次転写部３６は、二次転写ローラ３５を、中間転写ベルト３１をバックアップローラ３４に向けて押圧する第１の位置と中間転写ベルト３１から離間した第２の位置との間で移動させる移動機構を備えている。また、二次転写部３６と定着部６０の移動機構は連動している。このため、ラベルプリンタ１は、二次転写部３６の離間（圧着）動作と定着部６０の離間（圧着）動作が同時に行われるように、構成されている。
【００７５】
さらに、二次転写ローラ３５は、図５（Ｂ）に示されるように、第１のローラ１５１とともに単一のユニット１５０を構成している。このため、上述した移動機構により二次転写ローラ３５を中間転写ベルト３１から離間させると、第１のローラ１５１も二次転写ローラ３５との位置関係を維持するように移動する。
【００７６】
ラベルプリンタ１では、図５（Ａ）及び図５（Ｂ）に示されるように、バックアップローラ６４及び二次転写ローラ３５がベルトを押圧する第１の位置に配置されている状態（以降、圧着状態と記す）と、バックアップローラ６４及び二次転写ローラ３５がベルトから離間した第２の位置に配置されている状態（以降、離間状態と記す）とでは、定着部６０と搬送部５８の間で被印刷媒体２００を支持するローラが異なっている。
【００７７】
圧着状態では、図５（Ａ）に示されるように、第１のローラ１５１は、搬送部５８が被印刷媒体２００を支持する点と二次転写部３６が被印刷媒体２００を支持する点とを結ぶ線（換言すると、搬送ローラ５６と二次転写ローラ３５の接線）から逸れた位置に配置されている。また、第２のローラ１５２は、二次転写部３６が被印刷媒体２００を支持する点と定着部６０が被印刷媒体２００を支持する点とを結ぶ線（換言すると、バックアップローラ６４と二次転写ローラ３４の接線）から逸れた位置に固定されている。このため、圧着状態にある通常搬送中は、第１のローラ１５１及び第２のローラ１５２は、被印刷媒体２００に接触せず、被印刷媒体２００を支持しない。
【００７８】
一方、離間状態では、図５（Ｂ）に示すように、バックアップローラ６４と二次転写ローラ３５の接線に交わるように第２のローラ１５２が位置し、二次転写バックアップローラ３４と搬送ローラ５６の接線に交わるように第１のローラ１５１が位置する。さらに、第１のローラ１５１と第２のローラ１５２は、第１のローラ１５１と第２のローラ１５２の接線が二次転写ローラ３４と二次転写ローラ３５の間を通るような位置関係に配置される。これにより、第１のローラ１５１は、被印刷媒体２００と中間転写ベルト３４とが接しないように被印刷媒体２００を支持し、第２のローラ１５２は、被印刷媒体２００と二次転写ローラ３５とが接しないように被印刷媒体２００を支持する。
【００７９】
離間後に、印刷再開工程を開始する（ステップＳ２４）。バックフィードを開始する（ステップＳ２６）。バックフィードとは、被印刷媒体２００を、戻し方向つまり逆方向（ｑ方向）に搬送させることをいう。バックフィードは、搬送ローラ５６や定着搬送ローラ６６を逆回転させることで行われる。
【００８０】
バックフィードさせながら、センサ８８が検出用マークＭを検出したか否かを判断する（ステップＳ２８）。つまり、検出用マークＭがセンサ８８を通過するまで、バックフィードさせる。センサ８８が検出用マークＭを検出したと判断した後（ステップＳ２８ＹＥＳ）、被印刷媒体２００の搬送を停止させる（ステップＳ３０）。停止した位置を戻し位置とも呼ぶ。
【００８１】
図５（Ｃ）が、バックフィードされ、センサ８８で検出用マークＭが検出されて、停止した被印刷媒体２００の様子である。ここで、センサ８８で検出用マークＭを検出してから、直ちに被印刷媒体２００を停止させるのではなく、検出後所定時間経過後あるいは、所定長更に上流方向に戻した後に被印刷媒体２００を停止させるようにする。この位置が戻し位置に相当する。検出用マークＭの位置を、センサ８８で検出した位置よりさらに前の位置（上流側）まで戻しておくためである。
【００８２】
図６は、図５（Ｃ）でＫ部として示す被印刷媒体２００の部分を拡大して示す図である。図６（Ａ）は、被印刷媒体２００を印刷面から見た図で、図６（Ｂ）は側面から見た図である。
【００８３】
図６（Ａ）のｐ方向（図で上方向）が、被印刷媒体２００の搬送方向である。被印刷媒体２００の上の斜線で示す３つの画像が、定着処理が完了した画像である。一時停止時の最終頁の画像が最終画像Ｎである。各画像は、図６（Ａ）に示すように、一定の間隔ｂで印刷される。
【００８４】
最終画像Ｎの直下で、幅方向の中央に印刷された横線が、検出用マークＭである。検出用マークＭの色や大きさは、センサ８８で検出可能なものであればよく、丸やドットでもよい。検出用マークＭの印刷位置は、最終画像Ｎの近傍にあればよく、必ずしも幅方向の中央である必要はない。なお、ステップＳ１８で説明したように、検出用マークＭの下以降は、白地部つまり未印刷部である。
【００８５】
図６（Ｂ）に示すように、センサ８８は被印刷媒体２００の印刷面側に配置され、ステップＳ２８で説明したように、検出用マークＭがセンサ８８より上流方向になる位置で、被印刷媒体２００は停止される。実線で示す検出用マークＭより上の部分が定着完了部で、破線で示す検出用マークＭより下の部分が白地部である。
【００８６】
図４に戻る。停止後、定着部分が所定温度に達したら、定着ニップ及び二次転写ニップ間を再度圧着させる（ステップＳ３２）。つまり、図５（Ｃ）に示すように、バックアップローラ６４及び二次転写ローラ３５を、それぞれ再度ベルトに圧着させる。定着部は冷却状態からスタートするため、停止後再開までの時間はある程度必要である。被印刷媒体２００を挟んだ状態からでは昇温に問題が生じる。
【００８７】
そして、再開指示があるか否かを判断する（ステップＳ３４）。再開指示は例えば操作パネル１１２からの入力である。再開指示がない場合には（ステップＳ３４ＮＯ）、ステップＳ３４をループする。再開指示があったと判断すると（ステップＳ３４ＹＥＳ）、印刷動作を再開する（ステップＳ３６）。用紙等の被印刷媒体２００の順方向への送りを開始する。
【００８８】
順方向への送り開始後、センサ８８が検出用マークＭを検出したか否かを判断する（ステップＳ３８）。ステップＳ３０での停止時には、検出用マークＭは、センサ８８の位置よりもさらに上流方向の位置にあるからである（図５（Ｃ）、図６（Ｂ））。
【００８９】
センサ８８が検出用マークＭを検出していない場合には（ステップＳ３８ＮＯ）、ステップＳ３８をループする。センサ８８が検出用マークＭを検出したと判断すると（ステップＳ３８ＹＥＳ）、そのタイミングに合わせて画像形成を開始する（ステップＳ４０）。現像装置１３（１３ｋ、１３ｃ、１３ｍ、１３ｙ）による一次転写を開始する。検出用マーク位置以降からの印刷を継続する（ステップＳ４２）。
【００９０】
図８は、転写ベルト装置３０に対応するセンサ８８の配置位置の関係を説明するための図である。最終画像Ｎに続いて再開後の画像を連続的に印刷するためのタイミングを設定するためには、センサ８８は、中間転写ベルト３１による搬送路長に相当する長さよりも、上流方向に配置される必要がある。
【００９１】
一次転写されるトナー像の最初の画像形成色の帯電位置から、一次転写の位置を経た二次転写部３６による二次転写ニップ位置ｎまでの距離Ｘを求める。最初の画像形成色は、イエローの現像装置１３ｙにより形成されるので、現像装置１３ｙの感光体ドラム１４が光書込ヘッド１７に対向する位置が最初の帯電位置になる。この位置から、二次転写バックアップローラ３４と二次転写ローラ３５の二次転写ニップ位置ｎまでの距離が、Ｘとなる。
【００９２】
次に、検出用マークＭを検出するセンサ８８と前記二次転写ニップ位置ｎまでの被印刷媒体２００の搬送路距離をＹとする。Ｙは、図８に示す通り、センサ８８の位置から、被印刷媒体２００の搬送路に従って、二次転写バックアップローラ３４と二次転写ローラ３５の二次転写ニップ位置ｎまでの距離となる。従って、センサ８８は、Ｙ≧Ｘを満足するような位置に配置する必要がある。
【００９３】
これにより、最終画像Ｎに続いて、所定の間隔ｂを空けて再開後の最初の画像を印刷することができる。なお、最終画像Ｎを含む数枚分は、２回定着処理が行われることになるが、実用上の問題はない。なお、検出用マークＭは、専用の画像に限らず、印刷される画像の一部を検出用マークＭとして認識させるようにしても良い。
【００９４】
以上説明したような実施形態により、少なくとも以下の効果が奏せられる。
１）連続印刷の途中で停止し、再開してもロール状の被印刷媒体２００にラベル（画像）が連続的に印刷されるので、必要に応じて一時停止処理をすることができ、良好な印刷品質を保つことができる。
２）バックフィード中は、２つのガイドローラ（第１のローラ１５１、第２のローラ１５２）により、被印刷媒体２００が中間転写ベルト３１と二次転写ローラ３５に接触しない、通常搬送中（印刷中）とは異なる搬送路が形成される。このため、バックフィードに起因する、被印刷媒体２００との摩擦による中間転写ベルト３１及び二次転写ローラ３５の損傷、及び、二次転写ローラ３５との接触による被印刷媒体２００の裏面の汚れ、を回避することができる。
３）被印刷媒体２００が中間転写ベルト３１と二次転写ローラ３５に接触しない搬送路が形成されるため、バックフィード中に中間転写ベルト３１と二次転写ローラ３５を完全に停止した状態にすることができる。このため、逆回転が可能な複雑な構造を必要としない。
４）途中に一時停止による白紙部分を生じることがないので、ロール状の被印刷媒体２００を無駄なく使用できる。また、後工程でのカット処理の必要もない。
５）事前に検出用マークＭが印刷された被印刷媒体２００を用いるわけではなく、一般の被印刷媒体２００が使用できるので、利用に汎用性がある。
６）センサと２つのガイドローラを取り付けることだけで実現できるので、コストもかからない。
７）ラベル（画像）間のすきまに検出用マークＭを印刷するので、検出用マークＭ印刷によって被印刷媒体２００に無駄が生じることもない。
【００９５】
また、上記印刷制御処理につき、プログラムに従ったＣＰＵ１００によるソフトウェア処理で説明したが、これに限るものではなく、全部または一部をハードウェアによる処理に代えてもよい。
【００９６】
本発明の実施形態を説明したが、本発明は特許請求の範囲に記載された発明とその均等の範囲に含まれる。以下、本件特許出願の出願当初の特許請求の範囲に記載された発明を付記する。
【００９７】
［付記１］
被印刷媒体を搬送路の上流側から下流側へ搬送する搬送部と、
一次転写されたトナー像を搬送する中間転写ベルトと、
前記中間転写ベルトが懸架された二次転写バックアップローラと、前記中間転写ベルトを前記二次転写バックアップローラに向けて押圧する二次転写ローラと、を有し、前記中間転写ベルトにより搬送される前記トナー像を前記被印刷媒体に転写する二次転写部と、
前記搬送路上且つ前記二次転写部よりも下流側に配置され、前記トナー像を前記被印刷媒体に定着させる定着部と、
前記二次転写部より前記上流側に配置された第１のローラと、
前記二次転写部より前記下流側に配置された第２のローラと、
前記二次転写部より前記上流側に配置され、前記被印刷媒体に定着された前記トナー像を検出用マークとして検出するセンサと、
前記被印刷媒体への印刷中に印刷停止の指示を受けると、前記搬送部による前記被印刷媒体の前記上流側から前記下流側への搬送を停止させ、前記被印刷媒体を前記中間転写ベルト及び前記二次転写ローラから離間し且つ前記第１のローラ及び前記第２のローラに接する状態で前記搬送部により前記被印刷媒体を前記下流側から前記上流側へ搬送させ、前記センサによる前記検出用マークの検出に基づいて前記被印刷媒体の搬送を停止させる制御部と、を備える
ことを特徴とする印刷装置。
［付記２］
付記１に記載の印刷装置において、
前記第２のローラは、前記定着部より前記上流側に配置されており、
前記制御部は、前記搬送部により前記被印刷媒体を前記下流側から前記上流側へ搬送させ、前記被印刷媒体に印刷された前記検出用マークの位置が前記センサに対応する位置を通過した後に前記搬送部に前記被印刷媒体の搬送を停止させ、印刷再開指示を受けると、前記搬送部に前記被印刷媒体を前記上流側から前記下流側へ搬送させ、前記センサによる前記検出用マークの検出に基づいて印刷のタイミングを制御する
ことを特徴とする印刷装置。
［付記３］
付記１または付記２に記載の印刷装置において、
前記二次転写ローラを、前記中間転写ベルトを前記二次転写バックアップローラに向けて押圧する第１の位置と、前記中間転写ベルトから離間した第２の位置と、の間で移動させる移動機構を更に備え、
前記第１のローラは、前記二次転写ローラとの位置関係を維持するように、前記二次転写ローラとともに移動する
ことを特徴とする印刷装置。
［付記４］
付記３に記載の印刷装置において、
前記第１のローラは、前記二次転写ローラが前記第２の位置に配置されているときに、前記被印刷媒体と前記中間転写ベルトとが接しないように、前記被印刷媒体を支持する
ことを特徴とする印刷装置。
［付記５］
付記３または付記４に記載の印刷装置において、
前記第２のローラは、前記被印刷媒体と前記第２の位置の前記二次転写ローラとが接しないように、前記被印刷媒体を支持する
ことを特徴とする印刷装置。
【００９８】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００９９】
１    ラベルプリンタ
１０  プリンタ本体
１２  ＤＳＳ部（ドラム／現像装置）
１３（１３ｋ、１３ｃ、１３ｍ、１３ｙ）  現像装置
１４  感光体ドラム
１７  光書込ヘッド
３０  転写ベルト装置
３１  中間転写ベルト
３２  駆動ローラ
３３  従動ローラ
３４  二次転写バックアップローラ
３５  二次転写ローラ
３６  二次転写部
５８  搬送部
６０  定着装置
６１  駆動ローラ
６２  定着熱ベルト
６３  定着ローラ
６４  バックアップローラ
６５  円板カム
６６  定着搬送ローラ
６７  圧着用アーム
６８  弾性体
７０  排紙トレー
７４  搬送路
７６  返送路
８０  実装ボックス
８２  台座ユニット
８４  アンワインダー
８６  リワインダー
８８  センサ
９０  ロール紙搬送部
９２  ロール紙排出部
１００  ＣＰＵ
１３０  ＩＦ部
１５１  第１のローラ、
１５２  第２のローラ
【図３】
2014122960.tif 000003
【図４】
2014122960.tif 000004
【図１】
2014122960.tif 000005
【図２】
2014122960.tif 000006
【図５】
2014122960.tif 000007
【図６】
2014122960.tif 000008
【図７】
2014122960.tif 000009
【図８】
2014122960.tif 000010